(57)【要約】  【課題】  原木の外周を長手方向に切断して角材を製材する際に生ずる端材の大部分を使用して断熱材を構築することで、端材の廃棄処理費の削減並びに森林資源の節減を図り、断熱材の両側端縁を接合可能なパネル構造とすることで施工性を向上することができる製材端材を用いた断熱材及びその施工方法を提供する。  【解決手段】  断熱材４は、垂木、根太又は柱２等の上面に長手側が直交するように載置すべく一対の直線状添木端材間に、原木外周を長手方向に切断して角材を形成する際に生ずる複数の端材Ｈを添木端材に沿って列設配置して規定外形寸法（Ｌ１×Ｌ２）となる平面方形状の単一端材層を形成し、該単一端材層を複数段重畳して最上段に載置される単一端材層ＨＰ４とその下段の単一端材層ＨＰ３との間にクラフト紙Ｐを介装すると共に最上段の単一端材層ＨＰ４を横方向に所定量平行移動させることで、下段の単一端材層ＨＰ３の片側添木端材上面に段差Ｍ１を形成し、パネル板状に一体形成される。【選択図】    図３
2006045961.tif 000002
【特許請求の範囲】
【請求項１】
建築物１の外部を仕切る仕切り部に取付けられる断熱材４であって、
該断熱材４は、上記仕切り部を構成する垂木５、根太１５又は柱２等の上面に長手側が直交するように載置すべく、一対の直線状添木端材ＨＳ間に、原木外周を長手方向に切断して角材Ｓを形成する際に生ずる複数の板状端材Ｈを上記添木端材ＨＳに沿って列設配置して規定外形寸法となる平面方形状の単一端材層ＨＰを形成し、該単一端材層ＨＰを複数段重畳して最上段に載置される単一端材層ＨＰ４とその下段の単一端材層ＨＰ３との間にクラフト紙Ｐを介装した状態で最上段の単一端材層ＨＰ４を横方向に所定量平行移動させることで、下段の単一端材層ＨＰ３の片側添木端材ＨＳ上面に段差Ｍ１を形成し、釘打ち等によりパネル板状に一体形成されて成ることを特徴とする製材端材を用いた断熱材。
【請求項２】
複数段重畳される中間層となる何れかの単一端材層ＨＰを構成する板状端材Ｈの一部が、上記添木端材ＨＳに対し斜めに配置されて成る請求項１に記載の製材端材を用いた断熱材。
【請求項３】
複数段重畳される中間層となる何れかの単一端材層ＨＰを構成する板状端材Ｈの一部が、上記添木端材ＨＳに対し直交するよう配置されて成る請求項１に記載の製材端材を用いた断熱材。
【請求項４】
各単一端材層ＨＰを構成する隣接する板状端材Ｈが、木表ＨＦ、木裏ＨＲを交互に配置して成る請求項１〜３の何れかに記載の製材端材を用いた断熱材。
【請求項５】
建築物１の外部を仕切る仕切り部に取付けられる断熱材４の施工方法であって、
上記断熱材４が、上記仕切り部を構成する垂木５、根太１５又は柱２等の上面に長手側が直交するように載置すべく、一対の直線状添木端材ＨＳ間に、原木１８外周を長手方向に切断して角材Ｓを形成する際に生ずる複数の板状端材Ｈを上記添木端材ＨＳに沿って列設配置して規定外形寸法となる平面方形状の単一端材層ＨＰを形成し、該単一端材層ＨＰを複数段重畳して最上段に載置される単一端材層ＨＰ４とその下段の単一端材層ＨＰ３との間にクラフト紙Ｐを介装した状態で最上段の単一端材層ＨＰ４を横方向に所定量平行移動させることで、下段の単一端材層ＨＰ３の片側添木端材ＨＳ上面に段差Ｍ１を形成し、釘打ち等によりパネル板状に一体形成されて成り、
上記垂木５、根太１５又は柱２等の上面に長手側が直交するように断熱材４を載置固定し、該断熱材４一側の最上段段差Ｍ１に隣接配置する断熱材４の他側最上段から突出した単一端材層ＨＰ４の側端縁を重ねて釘打ち等により順次固定して面一に構築することを特徴とする製材端材を用いた断熱材の施工方法。
【発明の詳細な説明】
【技術分野】
【０００１】
本発明は、建築物の外部を仕切る仕切り部に取付けられる断熱材に係り、特に製材端材を用いた断熱材及びその施工方法に関する。
【背景技術】
【０００２】
建築物の構造として、在来工法である軸組み構造に、断熱材を屋根や床等に取付けて駆体を構成することで施工性の向上を図った木造建築物が知られている。このような木造建築物に使用される断熱材は、建築物の外部を仕切る仕切り部の枠組みと、この枠組みの両面に張付けられる面材と、これら枠組みと面材で区画される内部に設けられており、断熱性に優れるだけでなく構造用面材として使用することで建築物の強度の向上を図っている。
【０００３】
しかしながら、上記断熱材においては、その製造工程において、枠材や面材の切れ端である多くの端材が発生する。例えば、枠材の場合では定尺材から指定寸法のものを切断して使用しているため材料の歩留まりが悪く、端材を廃棄処理するための費用がかかるだけでなく森林資源の浪費を招くといった問題を有していた。
【０００４】
そこで、これらの問題を解決したものとして、歩留まりを少なくすると共に端材の廃棄処理費用を削減した断熱材が提案されている（特許文献１参照）。
【０００５】
このような断熱材は、枠材からなる上下の横枠及び左右の縦枠を方形に配して組立てた枠組みの両面に面材を張付け、これら枠組みと面材とで区画される内部に設けられている。そして上記枠組みの少なくとも一つの枠材は端材を連結手段によって連結されており、その端材は、枠材を所定寸法に切断する際に生ずるものが使用され、連結手段としては、例えば裏板としての板材（例えば合板）の切れ端である端材が使用されている。
【０００６】
【特許文献１】特開２０００−２２０２５１号公報（段落０００９〜００１１，図１）
【発明の開示】
【発明が解決しようとする課題】
【０００７】
しかしながら、上記の断熱材は、枠材を所定寸法に切断した際に生ずる端材や、板材（例えば合板）の切れ端を使用した端材が使用されているが、これらは殆ど枠組み加工時に生ずる端材を使用したもので、断熱材の枠組み製作時に生ずる端材だけでなく木造建築物の軸組構造を構成する柱や梁等の角材を例えば原木から製材する際にその外周を長手方向に切断して生ずる木皮の付いたままの端材等は、木皮の内部に害虫が生息したり腐り易いこと等から業者を介して廃棄されるため多くの処理費用が発生するだけでなく、森林資源の浪費を招く問題を有していた。
【０００８】
本発明は、このような問題点に着目してなされたもので、原木の外周を長手方向に切断して角材を製材する際に生ずる端材の大部分を使用して断熱材を構築することで、端材の廃棄処理費の削減並びに森林資源の節減を図り、断熱材の両側端縁を接合可能なパネル構造とすることで施工性を向上することができる製材端材を用いた断熱材及びその施工方法を提供することを目的とする。
【課題を解決するための手段】
【０００９】
上記の目的を解決するために、本発明の請求項１に記載の製材端材を用いた断熱材は、建築物１の外部を仕切る仕切り部に取付けられる断熱材４であって、
該断熱材４は、上記仕切り部を構成する垂木５、根太１５又は柱２等の上面に長手側が直交するように載置すべく、一対の直線状添木端材ＨＳ間に、原木外周を長手方向に切断して角材Ｓを形成する際に生ずる複数の板状端材Ｈを上記添木端材ＨＳに沿って列設配置して規定外形寸法となる平面方形状の単一端材層ＨＰを形成し、該単一端材層ＨＰを複数段重畳して最上段に載置される単一端材層ＨＰ４とその下段の単一端材層ＨＰ３との間にクラフト紙Ｐを介装した状態で最上段の単一端材層ＨＰ４を横方向に所定量平行移動させることで、下段の単一端材層ＨＰ３の片側添木端材ＨＳ上面に段差Ｍ１を形成し、釘打ち等によりパネル板状に一体形成されて成ることを特徴とする製材端材を用いた断熱材である。
上記製材端材を用いた断熱材によれば、一対の直線状添木端材ＨＳ間に、原木１８から長手方向に切断された複数の板状端材Ｈを上記添木端材ＨＳ間に列設配置して規定外形寸法となる平面方形状の単一端材層ＨＰを形成し、これら単一端材層ＨＰを複数段重畳して最上段に載置される単一端材層ＨＰ４とその下段の単一端材層ＨＰ３との間にクラフト紙Ｐを介装して最上段の単一端材層ＨＰ４を横方向に所定量平行移動させて釘打ち等により一体化することで、下段の単一端材層ＨＰ３の片側添木端材ＨＳ上面に段差Ｍ１を形成したパネル板状の断熱材４が形成される。
【００１０】
本発明の請求項２に記載の製材端材を用いた断熱材は、複数段重畳される中間層となる何れかの単一端材層ＨＰを構成する板状端材Ｈの一部が、上記添木端材ＨＳに対し斜めに配置されて成る製材端材を用いた断熱材である。
上記の製材端材を用いた断熱材によれば、一対の直線状添木端材ＨＳ間に列設配置される各種寸法形状の板状端材Ｈの組合わせによって所定箇所に斜めの空間が形成された場合に、それらの空間に適宜板状端材を添木端材に対し斜めに配置される。
【００１１】
本発明の請求項３に記載の製材端材を用いた断熱材は、複数段重畳される中間層となる何れかの単一端材層ＨＰを構成する板状端材Ｈの一部が、上記添木端材ＨＳに対し直交するよう配置されて成る製材端材を用いた断熱材である。
上記の製材端材を用いた断熱材によれば、一対の直線状添木端材ＨＳ間に列設配置される各種寸法形状の板状端材Ｈの組合わせによって所定箇所に横長の空間が形成された場合に、それらの空間に適宜板状端材Ｈを添木端材ＨＳに対し直交するよう配置される。
【００１２】
本発明の請求項４に記載の製材端材を用いた断熱材は、各単一端材層ＨＰを構成する隣接する板状端材Ｈが、木表ＨＦ、木裏ＨＲを交互に配置して成る製材端材を用いた断熱材である。
上記の製材端材を用いた断熱材によれば、一対の直線状添木端材間に隣接して列設配置される板状端材Ｈは、木表ＨＦ、木裏ＨＲが交互に配置される。
【００１３】
本発明の請求項５に記載の製材端材を用いた断熱材の施工方法は、建築物１の外部を仕切る仕切り部に取付けられる断熱材４の施工方法であって、
上記断熱材４が、上記仕切り部を構成する垂木５、根太１５又は柱２等の上面に長手側が直交するように載置すべく、一対の直線状添木端材ＨＳ間に、原木１８外周を長手方向に切断して角材Ｓを形成する際に生ずる複数の板状端材Ｈを上記添木端材ＨＳに沿って列設配置して規定外形寸法となる平面方形状の単一端材層ＨＰを形成し、該単一端材層ＨＰを複数段重畳して最上段に載置される単一端材層ＨＰ４とその下段の単一端材層ＨＰ３との間にクラフト紙Ｐを介装した状態で最上段の単一端材層ＨＰ４を横方向に所定量平行移動させることで、下段の単一端材層ＨＰ３の片側添木端材ＨＳ上面に段差Ｍ１を形成し、釘打ち等によりパネル板状に一体形成されて成り、
上記垂木５、根太１５又は柱２等の上面に長手側が直交するように断熱材４を載置固定し、該断熱材４一側の最上段段差Ｍ１に隣接配置される断熱材４の他側最上段から突出した単一端材層ＨＰ４の側端縁を重ねて釘打ち等により順次固定して面一に構築することを特徴とする製材端材を用いた断熱材の施工方法である。
【発明の効果】
【００１４】
本発明は以下の効果を奏する。
【００１５】
請求項１に記載の発明によれば、最上段の単一端材層を横方向に所定量平行移動させてその下段の単一端材層の片側添木端材上面に段差を形成したパネル板状の各断熱材間を接合する際に、上記段差を利用することで接合部が隙間の無い状態で容易に面一な仕切り部を構築することができる。
【００１６】
請求項２に記載の発明によれば、一対の直線状添木端材間に列設配置される各種寸法形状の板状端材の組合わせによって斜めの空間が形成された場合でも、その空間に適宜板状端材を添木端材に対し斜めに配置することで、より多くの板状端材を利用することができる。
【００１７】
請求項３に記載の発明によれば、一対の直線状添木端材間に列設配置される各種寸法形状の板状端材の組合わせによって横長の空間が形成された場合でも、その空間に適宜板状端材を添木端材に対し直交配置することで、より多くの板状端材を利用することができる。
【００１８】
請求項４に記載の発明によれば、隣接する板状端材の木表、木裏を交互に配置することで板状端材の反りを均一化したパネル板状の断熱材を形成することができる。
【００１９】
請求項５に記載の発明によれば、垂木、根太又は柱等の上面に長手側が直交するようにパネル板状の断熱材を張付ける際に、該各断熱材の段差を利用することで施工性を向上することができ、隙間の無い状態で面一な仕切り部を構築することができる。
【発明を実施するための最良の形態】
【００２０】
本発明の実施例を以下に説明する。
【実施例１】
【００２１】
本発明の実施例を図面に基づいて説明すると、先ず図1は本発明の実施例１における製材端材を用いた断熱材であって、この断熱材を木造建築物の屋根及び外壁に使用した説明図、図２は本発明の実施例１における製材端材を用いた断熱材であって、この断熱材を木造建築物の屋根に使用した説明図、図３は本発明の実施例１における製材端材を用いた断熱材であって、この断熱材を木造建築物の外壁面に使用した説明図、図４は本発明の実施例１における製材端材を用いた断熱材であって、この断熱材を木造建築物の床面に使用した説明図、図５は本発明の実施例１における製材端材を用いた断熱材の内部構造の第１変形例を示す説明図、図６は本発明の実施例１における製材端材を用いた断熱材の内部構造の第２変形例を示す説明図である。
【００２２】
図1には本発明の実施例１としての製材端材を用いて構成された断熱材４を、軸組み構造で構成される木造建築物の屋根及び外壁面に使用した例が示されており、符号１は木造建築物で、この建築物１の軸組（構造材）における仕切り部となる屋根の内部や外壁面内部には、それぞれ断熱材４が取付けられている。
【００２３】
屋根用の断熱材４は、建築物１の外部を仕切る仕切り部に取付けられるものであって、図１、図２に示すように複数の母屋材６の間に斜めに支持される複数の垂木５の上面に長手側が直交するように張付けられると共に、外壁面用の断熱材４は、図３に示すように軸組を構成する柱２や間柱２ａの前面に長手側が直交するように張付けられている。
【００２４】
また、図４に示される床面にも複数の断熱材４が張付けられており、これらの断熱材４は、並設された複数の大引１６上に所定間隔で支持される根太１５の上面に長手側が直交するように張付けられ、断熱材４の上面に配置された保護床（不図示）の上にはフローリングが敷設される。
【００２５】
上記の断熱材４は、全て本発明の製材端材を用いたものであって、それぞれサイズは異なるが基本的には規定寸法で平面方形状に構成されており、以下この断熱材４に付き説明する。
【００２６】
詳細は後述するが、断熱材４は、原木１８から木造建築物の軸組構造を構成する柱や梁等の角材Ｓが製材される際に、原木１８の外周を長手方向に切断することで生ずる各種サイズの細長状の端材Ｈを使用して所定厚みの平面方形状に構成したものである。
【００２７】
この断熱材４は、図３に示すように、複数の端材Ｈを上記添木端材ＨＳに沿って列設配置して規定外形寸法［Ｌ１（１，８１８ｍｍ）×Ｌ２（４５４ｍｍ）］となる平面方形状の単一端材層ＨＰを形成し、単一端材層ＨＰ１〜ＨＰ３を３段に重畳して最上段に載置される化粧板となる単一端材層ＨＰ４とその下段の単一端材層ＨＰ３との間にクラフト紙Ｐ（図２参照）を介装した状態で最上段の単一端材層ＨＰ４を横方向に所定量（例えばＬ３＝３０ｍｍ）平行移動させることで、その下段の単一端材層ＨＰ３の片側添木端材ＨＳ上面に段差Ｍ１を形成し、釘打ち等によりパネル板状に一体形成される。
【００２８】
このように構成することで、最上段の単一端材層ＨＰ４を横方向に所定量平行移動させてその下段の単一端材層ＨＰ３の片側添木端材ＨＳ上面に段差Ｍ１を形成したパネル板状の各断熱材４間を接合する際に、上記段差Ｍ１を利用することで接合部が隙間の無い状態で容易に面一な仕切り部を構築することができる。
【００２９】
次に、断熱材の内部構造の変形例に付き図５、図６を参照して説明する。
【００３０】
第１変形例としての断熱材４ａは、図５に示すように該断熱材４ａの一部を構成する単一端材層（以下端材層と称する）において、列設配置される各種寸法形状の端材Ｈの組合わせによって一対の直線状添木端材ＨＳ間の所定箇所に斜めの空間が形成される場合に、それらの空間に適宜端材ＨＹを添木端材ＨＳに対し斜めに配置したものである。
【００３１】
このように構成することで、列設配置される各種寸法形状の端材Ｈの組合わせによって一対の直線状添木端材ＨＳ間に斜めの空間が形成された場合でも、その空間に適宜端材ＨＹを添木端材ＨＳに対し斜めに配置することで、より多くの板状端材を利用することができる。尚、上記空間内に配置された端材ＨＹや添木端材ＨＳによって形成される間隙には、連続するカンナ屑などを入れることも可能であり、これによって端材ＨＹや添木端材ＨＳによって形成される間隙を埋めることができる。
【００３２】
また、第２変形例としての断熱材４ｂは、図６に示すように該断熱材４ｂの一部を構成する端材層において、列設配置される各種寸法形状の端材の組合わせによって一対の直線状添木端材ＨＳ間に横長の空間が形成された場合に、それらの空間に適宜端材ＨＺを添木端材ＨＳに対し直交するよう配置したものである。
【００３３】
このように構成することで、列設配置される各種寸法形状の端材Ｈの組合わせによって一対の直線状添木端材ＨＳ間に横長の空間が形成された場合でも、その空間に適宜端材ＨＺを添木端材ＨＳに対し直交配置することで、より多くの板状端材を利用することができる。この場合にも、上記空間内に配置された端材ＨＺや添木端材ＨＳによって形成される間隙には、連続するカンナ屑などを入れることも可能であり、これによって端材ＨＺや添木端材ＨＳによって形成される間隙を埋めることができる。
【００３４】
そして、上記の断熱材４，４ａ，４ｂは、各段の端材層ＨＰ１〜ＨＰ４を構成する隣接する各端材Ｈの木表ＨＦ、木裏ＨＲが交互になるよう配置される。このように構成することで、隣接する端材Ｈの木表ＨＦ、木裏ＨＲを交互に配置することで板状端材の反りを均一化したパネル板状の断熱材を形成することができる。
【実施例２】
【００３５】
次に、上記の断熱材の製造方法に付き説明する。本実施例２における最終製品となる断熱材は、上記実施例１に示す断熱材が４段の端材層として構成されたものであるのに対し、最終製品となる断熱材が３段の端材層として構成されるものであり、以下この断熱材の製造方法として説明する。
【００３６】
図７の（ａ）、（ｂ）は本発明の実施例２に係り、原木の外周を長手方向に切断して製材される角材及び長手方向に切断された端材の説明図、図８は大小の原木からそれぞれ長手方向に切断される端材の説明図、図９は原木から角材を製材する際に外周を長手方向に切断して形成される端材との関係を示す説明図、図１０の（ａ）〜（ｃ）は原木から角材製材時に切断された端材から更に板材を製材する工程を示す説明図、図１１は断熱材を製造する際に使用される端材を準備する工程の説明図、図１２（ａ）は搬送台上に端材を列設させて第１段の端材層を形成する工程の説明図、（ｂ）は（ａ）のＡ−Ａ断面図、図１３（ａ）は搬送台上に端材を列設させて第１段端材層の上面に第２段端材層を形成する工程の説明図、（ｂ）は（ａ）のＢ−Ｂ断面図、図１４は第１段端材層と第２段端材層を構成した複数の端材から所定寸法の方形に形成する工程の説明図、図１５は第２段端材層の上面にクラフト紙を被着する工程の説明図、図１６は第２段端材層の上面全面にクラフト紙を被着したのち所定長さに切断する工程の説明図である。
【００３７】
先ず、板状端材の形成工程に付き説明する。先ず、図７（ａ）及び図９に示すように、例えば原木１８から木造建築物の軸組構造を構成する柱や梁等の角材Ｓを製材するに際し、原木１８の外周を平行な切断線Ｃ１，Ｃ２に沿って長手方向に切断して平行な２面を形成したのち、これら２面と直交する平行な切断線Ｃ３，Ｃ４に沿って長手方向に切断することで角材Ｓが形成される。ここで、角材Ｓの形成によって生ずる四枚の端材Ｈは、図７（ｂ）に示すように切断された年輪Ｎ側を木裏ＨＲ、外側を木表ＨＦと称している。
【００３８】
また、図８に示すように、大小の原木１８ａ，１８ｂからは、それぞれ原木１８ａ，１８ｂの外形に対応した角材Ｓ１またはＳ２を切り出すことができ、これによって各種寸法の細長い板状の端材Ｈが形成される。
【００３９】
更に、図１０の（ａ）〜（ｃ）に示すように、角材Ｓの形成によって生ずる四枚の端材Ｈの内、板厚が厚い端材Ｈからは、木裏ＨＲ面と平行な切断線Ｃ５に沿って長手方向に切断することで軸組み用の板材Ｈ’として使用することができ、これによって生ずる端材Ｈ’’は断熱材に使用することができる。
【００４０】
次に、断熱材の製作の準備作業となる最初の工程である端材の処理工程に付き図１１を参照して説明する。
【００４１】
最初の工程ＳＴ１では、製材所にて原木１８の外周を平行な切断線Ｃ１〜Ｃ４に沿って長手方向に切断することで、柱や梁の芯材となる角材Ｓを製作し、次の工程ＳＴ２では、角材Ｓの製作時に生じた各種サイズの端材Ｈを収集する。
【００４２】
工程ＳＴ３では、収集した各種端材Ｈの皮を剥ぎ取って畑の草止めにすると共に、工程ＳＴ４で端材Ｈを２週間程度自然乾燥させることで使用可能な端材Ｈとなり、断熱材製作の準備が完了する（工程ＳＴ５）。
【００４３】
次に、製材端材を用いた断熱材の製造工程に付き図１２〜図１６を参照して順次説明する。
【００４４】
先ず、図１２（ａ），（ｂ）に示すように、端材Ｈを組立てる作業台の機能を有する搬送台として例えばローラコンベア２０が用意され、これが作業テーブルＴ上に設置される。このローラコンベア２０は、両側に一対の平行なガイドとなる所定長さ（少なくとも６尺以上の長さ）のフレーム２２ａ，２２ｂが配置されて、これら両フレーム２２ａ，２２ｂ間の下方には複数のローラＲが所定間隔で回転自在に支持されている。
【００４５】
ローラコンベア２０の両フレーム２２ａ，２２ｂ外側の幅の寸法Ｌ２は、図１４に示す規定の幅Ｌ２（例えば４５４ｍｍ）に設定されており、ローラコンベア２０の搬送路前方には、両フレーム２２ａ，２２ｂ内側の間隙より横長の切断装置２４が搬送路と直交するように設置されており、例えば一方の両フレーム２２ａの上面には切断装置２４を基準とする図示しないスケールが取付けられている。
【００４６】
そこで、ローラコンベア２０の両フレーム２２ａ，２２ｂ内側に沿って複数のローラＲ上部に一対の直線状添木端材ＨＳを配設し、これら両添木端材ＨＳ間に予め用意された各種長さの端材Ｈを、木裏ＨＲ面を複数のローラＲ上面に支持するように下向きにしてローラコンベア２０上の所定長さ（６尺以上の長さ）に亘って隙間の無いように平面状に列設配置することで第１段の端材層ＨＰ１が形成される。
【００４７】
次に、図１３（ａ），（ｂ）に示すように、ローラコンベア２０のローラＲ上の第１段端材層ＨＰ１を構成する隣接する端材Ｈ間の木表ＨＦ上面に、下向きにした複数の木表ＨＦ両側をそれぞれ重ねて平面状に列設配置して第２段の端材層ＨＰ２が形成される。
【００４８】
このようにして、ローラコンベアを省略した図１４に示すように矩形状の断熱材４が、両添木ＨＳと共に規定幅Ｌ２に設定された状態で仮組みされる。この工程では未だ断熱材４の第１、第２端材層を構成する端材Ｈ両端の長さは不揃いとなっており、最終工程では後述するように規定長さＬ１（例えば６尺＝１，８１８ｍｍ）に切断される。
【００４９】
そこで、図１５に示すように、第２段端材層ＨＰ２の上面全面にクラフト紙Ｐを被せ、その上面から釘２５を打ち付けて固定する。この釘打ちにより第１、第２段の端材層ＨＰ１，ＨＰ２を同時に固定することができるが、互いに交互に重ねられた隣接する上下の木表ＨＦ同士の両側を釘打ちにより順次幅方向に接合することで第１、第２段端材層ＨＰ１，ＨＰ２を両添木端材ＨＳと共に一体形成することもできる。そして、第２段の端材層ＨＰ２の上面にはクラフト紙Ｐを介して図示しない化粧板となる単一端材層が所定量横方向に平行移動されて最上段に重畳された状態で釘打ちにより接合される。
【００５０】
このように一体形成された断熱材４は、ローラコンベア２０によって切断装置２４まで移送されると、その先端が図１６に示すように切断線Ｃ６にて搬送路に直交する方向に切り揃えられ、更に切断装置２４を基準として目盛り６尺の位置まで搬送方向に移動させて切断線Ｃ７にて後端が切断されて矩形状の断熱材４が形成される。
【実施例３】
【００５１】
次に、製材端材を用いた断熱材の施工方法に付き、図１〜図４を参照して説明する。断熱材４の一部を構成する単一端材層ＨＰとして、複数の端材Ｈを上記添木端材ＨＳに沿って列設配置して規定外形寸法［Ｌ１（１，８１８ｍｍ）×Ｌ２（４５４ｍｍ）］となる平面矩形状に形成された４枚の単一端材層ＨＰを準備する。
【００５２】
先ず、端材層ＨＰ１〜ＨＰ３を３段に重畳して最上段に載置される単一端材層Ｈ４とその下段の端材層ＨＰ３との間にクラフト紙Ｐ（図２参照）を介装し、最上段の端材層ＨＰ４を横方向に所定量（例えばＬ３＝３０ｍｍ）平行移動させて、その下段の端材層ＨＰ３の片側添木端材ＨＳ上面に段差Ｍ１を形成すると共に、３段目の端材層ＨＰ３の他端側添木端材ＨＳ上面から所定量（３０ｍｍ）突出した端材層ＨＰ４の他側端縁を、隣接する断熱材４の段差Ｍ１に接合するための接合片Ｍ２として形成する。
【００５３】
そこで、この断熱材４を屋根に使用する場合は、図１、図２に示すように斜めに並設された複数の垂木５の上面に断熱材４を長手側が直交するように載置固定し、この断熱材４の接合片Ｍ２を上下に隣接する断熱材４一側の段差Ｍ１上面に支持し釘打ち等で接続する。このように、順次、隣接する断熱材４同士を接続することで、垂木５の上面に隙間の無い面一な仕切り部を構築することができる。
【００５４】
次に、この断熱材４を外壁面に使用する場合は、図３に示すように垂直に立設した間柱２ａを含む柱２間の前面に断熱材４を長手側が直交するように固定し、この断熱材４の接合片Ｍ２を上下に隣接する断熱材４一側の段差Ｍ１上面に支持し釘打ち等で接続する。このように、順次、隣接する断熱材４同士を接続することで、柱２又は間柱２ａの前面に隙間の無い面一な仕切り部を構築することができる。
【００５５】
更に、この断熱材４を床面に使用する場合は、図４に示すように大引上面に交叉させて支持された複数の根太１５間の上面に断熱材４を長手側が直交するように固定し、この断熱材４の接合片Ｍ２を左右に隣接する断熱材４一側の段差Ｍ１上面に支持し釘打ち等で接続する。このように、順次、隣接する断熱材４同士を接続することで、根太１５の上面に隙間の無い面一な仕切り部を構築することができる。
【００５６】
従って、上記のような製材端材を利用して製作された本発明の断熱材を用いた施工法を採用することにより、垂木５、根太１５又は柱２等の上面に長手側が直交するようにパネル板状の断熱材４を張付ける際に、該各隣接する断熱材４の段差Ｍ１、接合片Ｍ２を利用することで施工性を向上することができ、隙間の無い状態で面一な仕切り部を構築することができる。
【図面の簡単な説明】
【００５７】
【図１】本発明の実施例１における製材端材を用いた断熱材であって、この断熱材を木造建築物の屋根及び外壁に使用した説明図である。
【図２】本発明の実施例１における製材端材を用いた断熱材であって、この断熱材を木造建築物の屋根に使用した説明図である。
【図３】本発明の実施例１における製材端材を用いた断熱材であって、この断熱材を木造建築物の外壁面に使用した説明図である。
【図４】本発明の実施例１における製材端材を用いた断熱材であって、この断熱材を木造建築物の床面に使用した説明図である。
【図５】本発明の実施例１における製材端材を用いた断熱材の内部構造の第１変形例を示す説明図である。
【図６】本発明の実施例１における製材端材を用いた断熱材の内部構造の第２変形例を示す説明図である。
【図７】（ａ）、（ｂ）は本発明の実施例２に係り、原木の外周を長手方向に切断して製材される角材及び長手方向に切断された端材の説明図である。
【図８】大小の原木からそれぞれ長手方向に切断される端材の説明図である。
【図９】原木から角材を製材する際に外周を長手方向に切断して形成される端材との関係を示す説明図である。
【図１０】（ａ）〜（ｃ）は原木から角材製材時に切断された端材から更に板材を製材する工程を示す説明図である。
【図１１】断熱材を製造する際に使用される端材を準備する工程の説明図である。
【図１２】（ａ）は搬送台上に端材を列設させて第１段の端材層を形成する工程の説明図、（ｂ）は（ａ）のＡ−Ａ断面図である。
【図１３】（ａ）は搬送台上に端材を列設させて第１段端材層の上面に第２段端材層を形成する工程の説明図、（ｂ）は（ａ）のＢ−Ｂ断面図である。
【図１４】第１段端材層と第２段端材層を構成した複数の端材から所定寸法の方形に形成する工程の説明図である。
【図１５】第２段端材層の上面にクラフト紙を被着する工程の説明図である。
【図１６】第２段端材層の上面全面にクラフト紙を被着したのち所定長さに切断する工程の説明図である。
【符号の説明】
【００５８】
１                      建築物
２                      柱
２ａ                    間柱
４，４ａ，４ｂ          断熱材
５                      垂木
６                      母屋材
１５                    根太
１６                    大引
１８，１８ａ，１８ｂ    原木
２０                    ローラコンベア
２２ａ，２２ｂ          フレーム
２４                    切断装置
２５                    釘
Ｃ１〜Ｃ７              切断線
Ｈ，Ｈ’’              端材
Ｈ’                    板材
ＨＰ１                  第１段単一端材層（第１段端材層）
ＨＰ２                  第２段単一端材層（第２段端材層）
ＨＰ３                  第３段単一端材層（第３段端材層）
ＨＰ４                  第４段単一端材層（第４段端材層）
ＨＦ                    木表
ＨＲ                    木裏
ＨＳ                    添木端材
ＨＹ，ＨＺ              端材
Ｌ１                    規定長さ
Ｌ２                    規定幅
Ｍ１                    段差
Ｍ２                    接合片
Ｎ                      年輪
Ｐ                      クラフト紙
Ｒ                      ローラ
Ｓ，Ｓ１，Ｓ２          角材
Ｔ                      作業テーブル
【図１】
2006045961.tif 000003
【図２】
2006045961.tif 000004
【図３】
2006045961.tif 000005
【図４】
2006045961.tif 000006
【図５】
2006045961.tif 000007
【図６】
2006045961.tif 000008
【図７】
2006045961.tif 000009
【図８】
2006045961.tif 000010
【図９】
2006045961.tif 000011
【図１０】
2006045961.tif 000012
【図１１】
2006045961.tif 000013
【図１２】
2006045961.tif 000014
【図１３】
2006045961.tif 000015
【図１４】
2006045961.tif 000016
【図１５】
2006045961.tif 000017
【図１６】
2006045961.tif 000018